(57)【要約】  【課題】  簡便な構成で、低コストに抑えた単一の用紙受けトレイにより、用紙の最終的に印刷された面が上下いずれの方向を向くかを任意に選択できることとする。  【解決手段】  画像形成装置１の用紙排出手段２０の用紙排出方向下流側には、用紙受けトレイ３０が備えられる。用紙受けトレイ３０は、その上流端の支軸３１を中心として、垂直面内で回動可能であり、二通りの姿勢をとり得る。用紙受けトレイ３０は、支軸３１から続く湾曲した用紙ガイド部３２と、これと一体になって回動する用紙受け部３４とを備える。用紙受けトレイ３０は、第１の姿勢にある時、排出された用紙Ｐの第１面を上方に向けて、用紙受け部３４の第１面３４ａで直接受ける。一方、用紙受けトレイ３０は、第２の姿勢にある時、排出された用紙Ｐを、用紙ガイド部３２の内側で表裏反転させて用紙Ｐの第２面を上方に向けて、用紙受け部３４の第２面３４ｂにより受ける。【選択図】      図２
2006036375.tif 000002
【特許請求の範囲】
【請求項１】
処理済みの用紙を、その第１面を上方に向け、第２面を下方に向けて逐次略水平に排出する用紙排出手段と、排出された用紙を受けて積み上げる用紙受けトレイとを備えた画像形成装置において、
前記用紙受けトレイが、垂直面内で回動して二通りの姿勢をとり得るものであり、第１の姿勢の時は、用紙の第１面を上方に向けて用紙を受け続け、第２の姿勢の時は、用紙を表裏反転し、用紙の第２面を上方に向けて用紙を受け続けることを特徴とする画像形成装置。
【請求項２】
前記用紙受けトレイは、前記用紙排出手段のすぐ下方に、その用紙排出方向上流端が支持され、この支持部から続く湾曲した用紙ガイド部と、この用紙ガイド部と一体になって回動する用紙受け部とを備え、前記第１の姿勢の時は、用紙排出手段から排出される用紙を用紙受け部の第１面に直接受け、前記第２の姿勢の時は、用紙排出手段から排出される用紙を用紙ガイド部で反転させたうえで用紙受け部の第２面により受けることを特徴とする請求項１に記載の画像形成装置。
【請求項３】
前記用紙受けトレイは、前記用紙ガイド部の用紙排出方向下流端と、前記用紙受け部の上流端との間で、用紙積み上げ方向に所定の隙間が設けられるとともに、用紙排出方向と直角をなす用紙幅方向両端部で、用紙ガイド部と用紙受け部とが結合されていることを特徴とする請求項２に記載の画像形成装置。
【請求項４】
前記用紙受けトレイは、前記第１の姿勢の時に、前記用紙受け部の用紙排出方向下流端が、上流端より上方に位置することを特徴とする請求項２または請求項３に記載の画像形成装置。
【請求項５】
前記用紙受けトレイは、前記第２の姿勢の時に、前記用紙受け部の用紙排出方向下流端が、上流端より下方に位置するとともに、その下流部に用紙ストッパを備えることを特徴とする請求項２〜請求項４に記載の画像形成装置。
【請求項６】
前記用紙ストッパは、用紙排出方向に移動可能であることを特徴とする請求項５に記載の画像形成装置。
【発明の詳細な説明】
【技術分野】
【０００１】
本発明は、複写機やプリンタに代表される画像形成装置に関する。
【背景技術】
【０００２】
複写機やプリンタに代表される画像形成装置には、印刷済みの用紙を逐次略水平に排出する用紙排出手段と、排出された用紙を受けて積み上げる用紙受けトレイとが備えられている。画像形成装置の使用者は、最終的に印刷の仕上がった用紙を、この用紙受けトレイから取り出す。
【０００３】
ここで、画像形成装置の使用者としては、用紙受けトレイ上に排出される用紙に対して、その最終的に印刷された面が上方、または下方のいずれの方向を向くかを任意に選択したい場合がある。このような使用者のニーズに対応するため、画像形成装置には、用紙受けトレイに、用紙の第１面を上方に向けて用紙を排出する場合と、第１面とは表裏を返した第２面を上方に向けて用紙を排出する場合とが選択できるものがある。その画像形成装置の例が、特許文献１、及び２に提示されている。
【特許文献１】特開平５−２４４３２３号公報（第３−４頁、図３−４）
【特許文献２】特開平８−１８８３２３号公報（第３−４頁、図２）
【発明の開示】
【発明が解決しようとする課題】
【０００４】
特許文献１に記載の画像形成装置では、排出ローラ（用紙排出手段）のすぐ用紙排出方向下流側に第１の排出トレイ（用紙受けトレイ）を、その下方に第２の排出トレイを設け、第１の排出トレイは駆動手段により排出ローラの近傍で上下動し、下方にある時には用紙の表面（第１面）を上方に向けて第１の排出トレイが用紙を受け、上方にある時には第１の排出トレイの下面の反転ガイド部により用紙を反転させて用紙の裏面（第２面）を上方に向けて第２の排出トレイが用紙を受ける。しかしながら、上下２段の排出トレイを必要とするので、コストアップの問題が発生する。また、第１の排出トレイに駆動機構を必要とするので、構造や制御が複雑になるとともに、さらにコストアップを助長してしまうことになる。さらに、用紙を反転させて第２の排出トレイに用紙を排出する時には、用紙が自由落下することになるので、用紙の端面が不揃いになる可能性が高く、場合によっては第２の排出トレイの外に用紙が落ちてしまう事態も起こり得る。
【０００５】
特許文献２に記載の画像形成装置では、その上部に用紙の裏面（第２面）を上方に向けて用紙を受け続ける積載台（用紙受けトレイ）を設けるとともに、この積載台に至る途中の本体の用紙搬送路部分を横方向に開放して、開放した箇所に排紙トレイを上方から載置し、この排紙トレイ上に用紙の表面（第１面）を上方に向けて用紙を排出するものである。しかしながら、用紙搬送路部分を開放する時に、その箇所に他の物品が置いてある場合には、この物品を取り除かなければ、用紙搬送路部分を開放して排紙トレイを載置することができない。また、用紙搬送路部分を開放することにより、高温になる定着装置に手が届き易くなる可能性があるので、安全上の問題も懸念される。
【０００６】
本発明は上記の点に鑑みなされたものであり、簡便な構成で、低コストに抑えた単一の用紙受けトレイにより、用紙の最終的に印刷された面が上方、または下方のいずれの方向を向くかを任意に選択することが可能な画像形成装置を提供することを目的とする。
【課題を解決するための手段】
【０００７】
上記の課題を解決するため、本発明は、処理済みの用紙を、その第１面を上方に向け、第２面を下方に向けて逐次略水平に排出する用紙排出手段と、排出された用紙を受けて積み上げる用紙受けトレイとを備えた画像形成装置において、前記用紙受けトレイが、垂直面内で回動して二通りの姿勢をとり得るものであり、第１の姿勢の時は、用紙の第１面を上方に向けて用紙を受け続け、第２の姿勢の時は、用紙を表裏反転し、用紙の第２面を上方に向けて用紙を受け続けることとした。
【０００８】
また、前記用紙受けトレイは、前記用紙排出手段のすぐ下方に、その用紙排出方向上流端が支持され、この支持部から続く湾曲した用紙ガイド部と、この用紙ガイド部と一体になって回動する用紙受け部とを備え、前記第１の姿勢の時は、用紙排出手段から排出される用紙を用紙受け部の第１面に直接受け、前記第２の姿勢の時は、用紙排出手段から排出される用紙を用紙ガイド部で反転させたうえで用紙受け部の第２面により受けることとした。
【０００９】
また、前記用紙受けトレイは、前記用紙ガイド部の用紙排出方向下流端と、前記用紙受け部の上流端との間で、用紙積み上げ方向に所定の隙間が設けられるとともに、用紙排出方向と直角をなす用紙幅方向両端部で、用紙ガイド部と用紙受け部とが結合されていることとした。
【００１０】
また、前記用紙受けトレイは、前記第１の姿勢の時に、前記用紙受け部の用紙排出方向下流端が、上流端より上方に位置することとした。
【００１１】
また、前記用紙受けトレイは、前記第２の姿勢の時に、前記用紙受け部の用紙排出方向下流端が、上流端より下方に位置するとともに、その下流部に用紙ストッパを備えることとした。
【００１２】
また、前記用紙ストッパは、用紙排出方向に移動可能であることとした。
【発明の効果】
【００１３】
本発明の構成によれば、用紙受けトレイが、垂直面内で回動して二通りの姿勢をとり得るものであり、第１の姿勢の時は、用紙の第１面を上方に向けて用紙を受け続け、第２の姿勢の時は、用紙を表裏反転し、用紙の第２面を上方に向けて用紙を受け続けることとしたので、複雑な構成や駆動機構、制御を必要とすることなく、単一の用紙受けトレイにより、用紙を表裏反転させて受けることができる。また、画像形成装置本体の一部を開放することもないので、装置の横に置かれた他の物品を取り除く必要がなく、使用に必要な床面積を小さくすることができる。安全面でも問題がない。したがって、簡便な構成で、低コストに抑えた単一の用紙受けトレイにより、用紙の最終的に印刷された面が上方、または下方のいずれの方向を向くかを任意に選択することが可能となる。
【００１４】
また、用紙受けトレイは、用紙排出手段のすぐ下方に、その用紙排出方向上流端が支持され、この支持部から続く湾曲した用紙ガイド部と、この用紙ガイド部と一体になって回動する用紙受け部とを備え、第１の姿勢の時は、用紙排出手段から排出される用紙を用紙受け部の第１面に直接受け、第２の姿勢の時は、用紙排出手段から排出される用紙を用紙ガイド部で反転させたうえで用紙受け部の第２面により受けることとしたので、第１の姿勢の時において、排出された用紙をそのまま受けることができるとともに、第２の姿勢の時において、容易に用紙を表裏反転させて受けることができる。したがって、複雑な構成や駆動機構、制御を必要とすることなく、単一の用紙受けトレイにより、用紙の第１面、及び第２面を上方に向けることが可能となる。
【００１５】
また、用紙受けトレイは、用紙ガイド部の用紙排出方向下流端と、用紙受け部の上流端との間で、用紙積み上げ方向に所定の隙間が設けられるとともに、用紙排出方向と直角をなす用紙幅方向両端部で、用紙ガイド部と用紙受け部とが結合されていることとしたので、第２の姿勢の時に、用紙ガイド部の作用を受けて反転せしめられた用紙を、上記隙間を通して用紙受け部の第２面に導くことができる。これにより、複雑で高価な表裏反転機構を用いることなく容易に用紙を表裏反転させ、用紙受け部で受けることが可能となる。
【００１６】
また、用紙受けトレイは、第１の姿勢の時に、用紙受け部の用紙排出方向下流端が、上流端より上方に位置することとしたので、用紙受け部に排出された用紙が、自重により上流側に移動して順次積み上げられることになる。したがって、下流側で用紙受けトレイの外に用紙が落ちてしまうことがなく、上流側で用紙の端面を揃えて積み上げることが可能となる。
【００１７】
また、用紙受けトレイは、第２の姿勢の時に、用紙受け部の用紙排出方向下流端が、上流端より下方に位置するとともに、その下流部に用紙ストッパを備えることとしたので、用紙受け部に排出された用紙が、自重により下流側に移動して順次積み上げられることになる。したがって、下流側で用紙受けトレイの外に用紙が落ちてしまうことがなく、下流側で用紙の端面を揃えて積み上げることが可能となる。
【００１８】
また、用紙ストッパは、用紙排出方向に移動可能であることとしたので、用紙サイズに対応して用紙排出方向に用紙ストッパを移動し、排出された用紙の下流端を任意の位置に決定することができる。これにより、比較的小さいサイズの用紙を使用した時に、排出されつつある用紙の下流端が、すでに用紙受け部に積み上げられた用紙の上流端に引っ掛かることを防止することが可能となる。したがって、用紙受けトレイが第２の姿勢にあり、用紙を表裏反転させて受ける場合に、用紙を破損することなく整然と積み上げることができる。
【発明を実施するための最良の形態】
【００１９】
以下、本発明の実施形態を図１〜図５に基づき説明する。
【００２０】
最初に、本発明の画像形成装置について、図１を用いてその構造の概略を説明しつつ、画像出力動作を説明する。図１は、本発明の実施形態に係る画像形成装置を示す模型的垂直断面正面図である。なお、図中の実線矢印は用紙の搬送経路、及び搬送方向を示し、一点鎖線矢印はレーザ光Ｌを示す。
【００２１】
図１に示すように、画像形成装置１の本体２の下部には、給紙部３が配置されている。給紙部３の内部には、印刷前のカットペーパー等の用紙Ｐが積載して収容され、ここから１枚ずつ分離して用紙Ｐが送り出される。
【００２２】
本体２の内部であって、給紙部３の左方には、用紙搬送部４が備えられている。給紙部３から送り出された用紙Ｐは、用紙搬送部４において本体２の側面に沿って垂直上方に搬送されてレジストローラ５に至る。レジストローラ５の上方には、画像形成部６、及び転写部７が備えられている。レジストローラ５は、用紙Ｐの斜め送りを矯正しつつ、画像形成部６で形成されるトナー画像とのタイミングを計り、用紙Ｐを転写部７へと送り出す。
【００２３】
一方、外部コンピュータから、文字や図形、模様等の画像データ信号が画像形成装置１に送信される。この画像データの情報は、給紙部３の上方であって、本体２の中央部に配置されたレーザ照射部８に送られる。レーザ照射部８により、画像データに基づいて制御されたレーザ光Ｌが画像形成部６に向かって照射され、画像形成部６にて静電潜像が作られる。この静電潜像からトナー画像が形成され、トナー画像は、レジストローラ５によって同期をとって送られてきた用紙Ｐに、転写部７にて転写される。
【００２４】
転写部７の上方には、定着部９が備えられている。転写部７にて未定着トナー像を担持した用紙Ｐは、定着部９へと搬送され、定着ローラによりトナー像が加熱されて定着される。
【００２５】
定着部９の上方には、分岐部１０が備えられている。定着部９から排出された用紙Ｐは、両面印刷を行わない場合には、分岐部１０から用紙排出手段２０によって本体２の上面に設けられた用紙受けトレイ３０に排出される。
【００２６】
分岐部１０から用紙受けトレイ３０に向かって用紙Ｐを排出する用紙排出手段２０の箇所は、スイッチバック部１１としての機能をも果たす。両面印刷を行う場合には、このスイッチバック部１１において、定着部９から排出された用紙Ｐの搬送方向が切り替えられる。そして、用紙Ｐは、定着部９、及び転写部７の左方を通って下方に送られ、再度用紙搬送部４を経て転写部７へと送られる。
【００２７】
続いて、画像形成装置１の用紙受けトレイ３０周辺の詳細な構成について、図１に加えて、図２〜図４を用いて説明する。図２は、用紙受けトレイ周辺を示す模型的垂直断面部分拡大正面図である。図３は用紙受けトレイを示す模型的垂直断面正面図、図４は用紙受けトレイを示す模型的斜視図にして、その下方から見たものである。
【００２８】
図１、及び図２に示すように、画像形成装置１の本体２の最上部近傍には、用紙排出手段２０が備えられている。用紙排出手段２０は、排出ローラ２１と、排出口２２とを備えている。排出ローラ２１は、互いに接触するローラのペアにより構成され、用紙Ｐが用紙受けトレイ３０に向かって排出される排出口２２近傍に備えられている。用紙Ｐは、排出ローラ２１を構成するペアローラが当接して形成されるニップに挿通され、排出ローラ２１を回転させることにより、排出口２２を通って用紙受けトレイ３０へと送り出される。このようにして用紙排出手段２０は、処理済みの用紙Ｐを、その第１面を上方に向け、第２面を下方に向けて逐次略水平に排出する。
【００２９】
図１、及び図２において、用紙排出手段２０の右方には、用紙受けトレイ３０が備えられている。用紙受けトレイ３０は、用紙排出方向上流端に支持部である支軸３１を備え、この支軸３１により用紙排出手段２０のすぐ下方に支持されている。用紙受けトレイ３０は、支軸３１を中心として、垂直面内で回動可能である。用紙受けトレイ３０の図２に示す姿勢においては、下方から本体２により支持されているので、図２に示す位置を超えて、用紙受けトレイ３０が時計方向に回転することはない。この姿勢が、用紙Ｐの第１面を上方に向けて用紙Ｐを受け続ける第１の姿勢である。
【００３０】
用紙受けトレイ３０の支軸３１から続く部分には、湾曲した用紙ガイド部３２が設けられている。図２、及び図３に示す用紙受けトレイ３０の第１の姿勢の時において、用紙ガイド部３２は、用紙排出手段２０の下方に位置する。用紙ガイド部３２において、用紙排出方向と直角をなす用紙幅方向両端部には、側板３３が各々取り付けられている。
【００３１】
用紙ガイド部３２の用紙排出方向下流端近傍からは、さらに下流側へと用紙受け部３４が延びている。用紙ガイド部３２の下流端と、用紙受け部３４の上流端との間には、上下方向、すなわち用紙積み上げ方向に所定の隙間が設けられている。用紙受け部３４は、２枚の側板３３に挟み込まれるようにして設けられている。用紙受け部３４は、その下流端が上流端より上方に位置する形で取り付けられている。このようにして、用紙ガイド部３２と用紙受け部３４とが側板３３により結合され、用紙受けトレイ３０が回動する時、これらは一体となって回動する。なお、用紙受けトレイ３０の第１の姿勢の時において、用紙受け部３４の上側の面が第１面３４ａ、下側の面が第２面３４ｂである。
【００３２】
図２〜図４に示すように、用紙受けトレイ３０の第１の姿勢の時において、用紙受け部３４の下側の面である第２面３４ｂには、用紙ストッパ３５が備えられている。用紙ストッパ３５は、用紙排出方向下流部に１個備えられている。用紙ストッパ３５は、後述する用紙受けトレイ３０の第２の姿勢の時において、用紙受け部３４の第２面３４ｂが上側を向いた時に機能する。この時、用紙ストッパ３５は、用紙排出手段２０から排出された用紙Ｐを受け止める（図５参照）。用紙ストッパ３５は、用紙受け部３４の第２面３４ｂに、用紙排出方向に設けられた移動用溝３６に沿って移動させることが可能である。
【００３３】
続いて、用紙受けトレイ３０の姿勢変更について、図２に加えて、図５を用いて説明する。図５は、用紙受けトレイ周辺を示す模型的垂直断面部分拡大正面図にして、用紙受けトレイが第２の姿勢にある状態を示すものである。
【００３４】
前述したように、図２に示す用紙受けトレイ３０の姿勢が、用紙Ｐの第１面を上方に向けて用紙Ｐを受け続ける第１の姿勢である。
【００３５】
用紙受けトレイ３０は、第１の姿勢にある時、用紙排出手段２０から排出される用紙Ｐを、用紙Ｐの第１面を上方に向けて、用紙受け部３４の第１面３４ａで直接受ける。用紙ガイド部３２は、用紙排出手段２０のすぐ下方に位置するので、用紙Ｐを受ける過程で作用することはない。用紙受け部３４が、その下流端が上流端より上方に位置する形で傾斜しているので、用紙受け部３４に積み重ねられた用紙Ｐは、用紙ガイド部３２の方に滑って揃えられる。
【００３６】
図２に示す第１の姿勢の状態から、用紙受けトレイ３０を反時計方向に回転させると、用紙受けトレイ３０は、図５に示す第２の姿勢になる。このようにして、用紙受けトレイ３０は、垂直面内で回動して二通りの姿勢をとり得る。用紙受けトレイ３０が第２の姿勢にある時、用紙受けトレイ３０は、用紙受け部３４が下方から本体２により支持されているので、図５に示す位置を超えて反時計方向に回転することはない。用紙ガイド部３２は、用紙排出手段２０と対向する位置にあり、上方に向かって延びている。用紙受け部３４は、その第２面３４ｂが上側を向いており、下流端が上流端より下方に位置する。そして、用紙受け部３４の上側には、用紙ストッパ３５が備えられている。
【００３７】
用紙受けトレイ３０は、第２の姿勢にある時、用紙排出手段２０から処理済みの用紙Ｐが排出されると、用紙Ｐを用紙ガイド部３２の内側で表裏反転させたうえで、用紙Ｐの第２面を上方に向け、用紙受け部３４の第２面３４ｂにより受け続ける。用紙ガイド部３２は、用紙排出手段２０から排出される用紙Ｐを受けて、表裏反転させる役割を果たす。用紙受け部３４が、その下流端が上流端より下方に位置する形で傾斜しているので、用紙受け部３４に積み重ねられた用紙Ｐは、用紙ストッパ３５の方に滑って受け止められ、端面が揃えられる。
【００３８】
本発明の構成によれば、用紙受けトレイ３０が、垂直面内で回動して二通りの姿勢をとり得るものであり、第１の姿勢の時は、用紙Ｐの第１面を上方に向けて用紙Ｐを受け続け、第２の姿勢の時は、用紙Ｐを表裏反転し、用紙Ｐの第２面を上方に向けて用紙Ｐを受け続けるので、複雑な構成や駆動機構、制御を必要とすることなく、単一の用紙受けトレイ３０により、用紙Ｐを表裏反転させて受けることができる。また、画像形成装置１の本体２の一部を開放することもないので、装置の横に置かれた他の物品を取り除く必要がなく、使用に必要な床面積を小さくすることができる。安全面でも問題がない。したがって、簡便な構成で、低コストに抑えた単一の用紙受けトレイ３０により、用紙Ｐの最終的に印刷された面が上方、または下方のいずれの方向を向くかを任意に選択することが可能となる。
【００３９】
また、用紙受けトレイ３０は、用紙排出手段２０のすぐ下方に、その用紙排出方向上流端が支持され、この支持部である支軸３１から続く湾曲した用紙ガイド部３２と、この用紙ガイド部３２と一体になって回動する用紙受け部３４とを備え、第１の姿勢の時は、用紙排出手段２０から排出される用紙Ｐを用紙受け部３４の第１面３４ａに直接受け、第２の姿勢の時は、用紙排出手段２０から排出される用紙Ｐを用紙ガイド部３２で反転させたうえで用紙受け部３４の第２面３４ｂにより受けるので、第１の姿勢の時において、排出された用紙Ｐをそのまま受けることができるとともに、第２の姿勢の時において、容易に用紙Ｐを表裏反転させて受けることができる。したがって、複雑な構成や駆動機構、制御を必要とすることなく、単一の用紙受けトレイ３０により、用紙Ｐの第１面、及び第２面を上方に向けることが可能となる。
【００４０】
そして、用紙受けトレイ３０は、用紙ガイド部３２の用紙排出方向下流端と、用紙受け部３４の上流端との間で、用紙積み上げ方向に所定の隙間が設けられるとともに、用紙排出方向と直角をなす用紙幅方向両端部で、側板３３により用紙ガイド部３２と用紙受け部３４とが結合されているので、第２の姿勢の時に、用紙ガイド部３２の作用を受けて反転せしめられた用紙Ｐを、上記隙間を通して用紙受け部３４の第２面３４ｂに導くことができる。これにより、複雑で高価な表裏反転機構を用いることなく容易に用紙Ｐを表裏反転させ、用紙受け部３４で受けることが可能となる。
【００４１】
また、用紙受けトレイ３０は、第１の姿勢の時に、用紙受け部３４の用紙排出方向下流端が、上流端より上方に位置するので、用紙受け部３４に排出された用紙Ｐが、自重により上流側に移動して順次積み上げられることになる。したがって、下流側で用紙受けトレイ３０の外に用紙Ｐが落ちてしまうことがなく、上流側で用紙Ｐの端面を揃えて積み上げることが可能となる。
【００４２】
また、用紙受けトレイ３０は、第２の姿勢の時に、用紙受け部３４の用紙排出方向下流端が、上流端より下方に位置するとともに、その下流部に用紙ストッパ３５を備えるので、用紙受け部３４に排出された用紙Ｐが、自重により下流側に移動して順次積み上げられることになる。したがって、下流側で用紙受けトレイ３０の外に用紙Ｐが落ちてしまうことがなく、下流側で用紙Ｐの端面を揃えて積み上げることが可能となる。
【００４３】
さらに、用紙ストッパ３５は、用紙排出方向に移動可能であるので、用紙サイズに対応して用紙排出方向に用紙ストッパ３５を移動し、排出された用紙Ｐの下流端を任意の位置に決定することができる。これにより、比較的小さいサイズの用紙Ｐを使用した時に、排出されつつある用紙Ｐの下流端が、すでに用紙受け部３４に積み上げられた用紙Ｐの上流端に引っ掛かることを防止することが可能となる。したがって、用紙受けトレイ３０が第２の姿勢にあり、用紙Ｐを表裏反転させて受ける場合に、用紙Ｐを破損することなく整然と積み上げることができる。
【００４４】
上記のように本発明の実施形態を示したが、この他、発明の主旨を逸脱しない範囲で種々の変更を加えて実施することができる。
【産業上の利用可能性】
【００４５】
本発明は、処理済みの用紙やシート状のものを、用紙受けトレイに排出して積み上げる機能を有する画像形成装置において利用可能である。
【図面の簡単な説明】
【００４６】
【図１】本発明の実施形態に係る画像形成装置を示す模型的垂直断面正面図である。
【図２】図１の画像形成装置の用紙受けトレイ周辺を示す模型的垂直断面部分拡大正面図である。
【図３】図２の用紙受けトレイを示す模型的垂直断面正面図である。
【図４】図３の用紙受けトレイを示す模型的斜視図にして、その下方から見たものである。
【図５】図２と同様の用紙受けトレイ周辺を示す模型的垂直断面部分拡大正面図にして、用紙受けトレイが第２の姿勢にある状態を示すものである。
【符号の説明】
【００４７】
１    画像形成装置
２    本体
２０  用紙排出手段
２１  排出ローラ
３０  用紙受けトレイ
３１  支軸
３２  用紙ガイド部
３３  側板
３４  用紙受け部
３４ａ  第１面
３４ｂ  第２面
３５  用紙ストッパ
【図１】
2006036375.tif 000003
【図２】
2006036375.tif 000004
【図３】
2006036375.tif 000005
【図４】
2006036375.tif 000006
【図５】
2006036375.tif 000007